(57)【特許請求の範囲】
【請求項１】
魚関連製品、すなわち通常水槽へと分配される魚のえさ又は消費可能な魚関連製品のためのパッケージの二重用途に関するプロセスであって、該プロセスは、
三次元形状を有するハウジングと、その中に魚のえさ、薬剤、または水槽用の化学薬品を含むためのハウジング内の内部区画と、内部区画へアクセスするための取り付けられたカバーを備えた第１の開口部と、選択的に第２の開口部を開ける又は閉じるための取り付けられたプラグを備えた第２の開口部と、を含むパッケージを提供する工程と；
パッケージが水槽の外にある間は、内部区画から第１の開口部を介して水槽へと魚のえさ又は魚関連製品を分配する工程と；
魚関連製品が内部区画から完全に分配された後に、
ａ）バラストを内部区画に追加する工程、
ｂ）パッケージにアンカーを取り付けて、水槽内にアンカーを固定する工程、または
ｃ）水中においてパッケージに浮力を持たせ、一本の細いひもによってパッケージにアンカーを取り付け、そして水槽内にアンカーを固定する工程、の少なくとも１つを実行する工程と：
水槽内の水にパッケージを沈める工程と；
水槽の水面より下に沈められた後に水槽の装飾品としてパッケージを活用する工程と；
を含むことを特徴とするプロセス。
【請求項２】
水槽内において、区画から魚のえさ又は魚関連製品を分配した後およびパッケージを沈める前にパッケージを再構成する工程を含む、請求項１に記載のプロセス。
【請求項３】
再構成する工程は、パッケージに装飾的な要素を加える工程を含む、請求項２に記載のプロセス。
【請求項４】
装飾的な要素は照明機構を含む、請求項３に記載のプロセス。
【請求項５】
装飾的な要素は、少なくともパッケージのハウジングの一部にわたって装飾的なエラストマーカバーを含む、請求項３に記載のプロセス。
【請求項６】
装飾的な要素は、パッケージのハウジングの表面に、少なくとも部分的に付けられるアップリケを含む、請求項３に記載のプロセス。
【請求項７】
装飾的な要素はバブラーを含む、請求項３に記載のプロセス。
【請求項８】
水槽に沈められたときに、再構成されたパッケージの少なくとも一部の動作を引き起こすようにバブラーを構成する工程をさらに含む、請求項７に記載のプロセス。
【請求項９】
水槽に沈んでいる間に再構成されたパッケージを再配向する工程をさらに含む、請求項２または３のいずれかに記載のプロセス。
【発明の詳細な説明】
【技術分野】
【０００１】
本発明は、一般的に二重用途パッケージに関する。特に、本発明は、魚関連製品を分配し、水槽の装飾品としてパッケージを利用するための、パッケージの使用に関する。
【背景技術】
【０００２】
液体か固体かに関わらず、ペット関連製品を保存するための単一用途の容器が、一般的に当技術分野において知られている。そのような容器は、固い外側シェル、または圧搾可能な柔らかい外側シェルを含んでもよい。どちらにしても、容器は、内部区画にアクセスするための開口部を備えた内部区画を含む。内部区画はペット関連製品を包含しており、容器が空になるまで、ユーザーが容器から製品を分配することを可能にする。一旦容器が空になったら、より多くのペット関連製品を収容するために容器をできる限り再使用すること以外に、使い道はない。
【０００３】
そのペット関連製品が分配されてしまったら、空の容器および使用されたパッケージの別の使い道を見つけることが有益であろう。従って、製品、および二重の目的のためのそのような製品を利用するプロセスの必要性がある。本発明はこれらの必要性を満たし、他の関連する利点を提供する。
【発明の概要】
【０００４】
本発明は、魚のえさなどの魚関連製品用、または水槽へと通常分配される魚関連の消費可能な製品用のパッケージの二重用途に関するプロセスを対象とする。そのプロセスは、（１）内部に魚関連製品を包含するための区画を含む二重用途パッケージを提供するステップと、（２）区画から魚関連製品を分配するステップと、（３）水槽の内に二重用途パッケージを配置するステップと、を含む。二重用途パッケージは、水槽内で装飾的な特徴として使用するために再構成されてもよく、プロセスは、二重用途パッケージに装飾的な要素を加えるステップを含む。
【０００５】
装飾的な要素は、照明器具、二重用途パッケージの少なくとも一部を覆う装飾的なエラストマーカバー、および二重用途パッケージの表面またはバブラーに少なくとも部分的に付けられたアップリケを含んでもよい。再構成するステップはさらに、水槽へと装飾的な要素を配置する前に、二重用途パッケージからその要素を取り除くステップを含んでもよい。
【０００６】
そのプロセスはさらに、内部区画にバラストを加え、パッケージにアンカーを取り付け、そして水槽内にアンカーを固定する工程、または再構成されたパッケージに水中において浮力を持たせ、水槽に固定される一本の細いひもによってパッケージにアンカーを取り付ける工程を含んでもよい。再構成されたパッケージは、水槽に沈められている間にさらに再配向されてもよい。さらに、バブラーは、水槽に沈められたときに、少なくとも二重用途パッケージの一部を動かすように構成されてもよい。
【０００７】
より具体的には、バラストは、装飾品としてパッケージを利用する前に、内部区画に加えられるか、またはパッケージに外部的に加えられてもよい。バラストは水中に沈められたパッケージを保持するのに十分な、水槽の岩または同様に高密度な材料を含んでもよい。代替的に、そのプロセスは、アンカー装置、すなわちディスクまたはパッドを土台またはパッケージの他の部分に取り付ける工程と、吸盤によって、岩で覆うことによって、またはそのようなことによって水槽の内部表面にアンカー装置を固定する工程を含んでもよい。アンカーは、内部区画への開口部上のねじ式ネックに取り付けるように構成されたねじ式キャップを含んでもよい。ねじ式キャップは、ねじ式ネックに取り外し可能に取り付けられてもよい。
【０００８】
さらに、再構成するステップは、二重用途パッケージが水槽に沈められ再配向されると、内部区画の中に閉じ込められた空気を逃すことができるように、第２の開口部からプラグを取り除くことを含んでもよい。プラグ（複数可）も、像の目または口などの設計的な目的のための開口部を晒すために、恒久的に取り除かれてもよい。
【０００９】
二重用途パッケージは、灯台の上部における照明機構を含む装飾的な要素を備えた灯台に類似してもよい。パッケージはまた、ヒンジの周囲で枢動可能なヒンジ蓋を含む装飾的な要素を備えた宝物箱に類似してもよい。バブラーは、空気がヒンジ蓋の上の空洞へと泡立たせられてもよいように、宝物箱の取り付け部に取り付けられてもよい。空気がヒンジ蓋の上の空洞を満たすと、ヒンジ蓋は、定期的に水の中の空気の浮力により持ち上がり、空気が放出されると蓋が戻る。光源、可動部およびバブラーはこれらのパッケージに制限されず、他の二重用途パッケージに、同様に適用されてもよい。
【００１０】
二重用途パッケージはまた、岩の像に類似してもよく、装飾的な要素は、岩の像を通る通路を含んでもよい。パッケージは、壁ブロックに類似してもよく、装飾的な要素は、石の模様またはレンガの模様を含んでもよい。壁ブロックはさらに、第１の側面上にスロットを有してもよいし、第２の側面上にタングを有してもよい。そのプロセスは、より長い壁を形成するように、第２の壁ブロック上のスロットに壁ブロックのタングを取り付けるステップをさらに含んでもよい。タングおよびスロットと同様に貫通通路もまた、他の二重用途パッケージに適用されうる。
【００１１】
二重用途パッケージは、潜水艦に類似してもよく、潜水艦、および／または潜水艦の後部のプロペラの長さに沿う複数のＬＥＤライトを含む装飾的な要素を有する。装飾的な要素はさらに、潜水艦上の取り付け部に取り付けられ、プロペラを回すようにプロペラへと空気を泡立たせるバブラーを含んでもよい。
【００１２】
二重用途パッケージはさらに、花瓶に類似してもよく、その上部から葉が伸びている植物を含む装飾的な要素を備える。バブラーは、その葉を動かすように、植物の葉へと空気を泡立たせるために花瓶上の取り付け部に取り付けられてもよい。
【００１３】
二重用途パッケージはさらに、設計が非常に単純であり、二重用途パッケージの少なくとも一部にわたる装飾的なエラストマーカバーに構造支柱を提供するように作られてもよい。装飾的なエラストマーカバーは様々な異なる魚、動物および物体に類似してもよい。
【００１４】
二重用途パッケージはさらに、単純な円筒形のパッケージであってもよく、それは、当技術分野において既に公知であり、古代の硬貨、山積みの宝、貝殻等などの水槽の装飾であるように設計される蓋を備える。再構成ステップは、パッケージからこの装飾的な要素を除去することを含む。代替案では、蓋は、像などの取り外し可能に取り付けられた装飾を有することができ、そのために、蓋はアンカー装置として作用する。
【００１５】
前述の実施形態のいずれかにおいて、再構成するステップは、二次元の表面上に三次元画像または動画を生成する鏡材料、レンチキュラー材料、またはホログラフィック材料を備える二重用途パッケージの表面を装飾することを含んでもよい。パッケージはまた、パッケージに写実的な外観を与えるために、表面の少なくとも一部に付けられたアップリケを有してもよい。そのような材料は、望ましい視覚表現を生み出すために、パッケージの外面に張り付けられてもよい。
【００１６】
本発明の他の特徴および利点は、次のより詳細な説明から明白になり、その説明は添付の図面と併用され、図面は、例として、本発明の法則を例示する。
【図面の簡単な説明】
【００１７】
添付の図面は本発明を例示する。
【図１Ａ】灯台に類似する二重用途パッケージの斜視図である。
【図１Ｂ】灯台に類似する二重用途パッケージの分解斜視図である。
【図２Ａ】宝物箱に類似する二重用途パッケージの平面斜視図である。
【図２Ｂ】宝物箱に類似する二重用途パッケージの後部の下部の斜視図である。
【図３Ａ】岩の像に類似する二重用途パッケージの平面斜視図である。
【図３Ｂ】岩の像に類似する二重用途パッケージの反対の斜視図である。
【図４Ａ】２つの壁ブロックに類似する二重用途パッケージの平面斜視図である。
【図４Ｂ】壁ブロックに類似する二重用途パッケージの下部の斜視図である。
【図５Ａ】潜水艦に類似する二重用途パッケージの平面斜視図である。
【図５Ｂ】潜水艦に類似する二重用途パッケージの下部の斜視図である。
【図６Ａ】花瓶に類似する二重用途パッケージの平面斜視図である。
【図６Ｂ】花瓶に類似する二重用途パッケージの下部の斜視図である。
【図７】支持構造物として成型された二重用途パッケージの斜視図である。
【図８】装飾的なカバーを備えた図７の二重用途パッケージの斜視図である。
【図９】蓋に取り外し可能に取り付けられた装飾を備えた、二重用途パッケージの斜視図である。
【図１０】図９の蓋の斜視図である。
【図１１】図１０の蓋の分解立体図である。
【図１２Ａ】装飾的な特徴として型抜き開口部を備えた、二重用途パッケージの斜視図である。
【図１２Ｂ】図１２Ａの二重用途パッケージの分解斜視図である。
【図１３】装飾的な蓋を備えた二重用途パッケージの斜視図である。
【図１４】側面に取り付けられたアンカー装置を有する、二重用途パッケージの斜視図である。
【図１５】本発明に記載のアンカー装置の斜視図である。
【図１６】本発明の二重用途パッケージの底部に取り付けられたアンカー装置の下部の斜視図である。
【図１７】本発明の二重用途パッケージの代替的な実施形態の環境図である。
【図１８】図１５のアンカー装置の代替的な実施形態の斜視図である。
【図１９】アンカー装置および本発明の二重用途パッケージの、代替的な実施形態の下部の斜視分解立体図である。
【図２０】水槽における図１−６の二重用途パッケージの環境図である。
【図２１】水槽における図７−１３の二重用途パッケージの環境図である。
【発明を実施するための形態】
【００１８】
本発明は二重用途パッケージを利用するプロセスを対象とする。より具体的に、本発明は、二重用途パッケージを魚のえさなどのペット関連製品に使用し、水槽における装飾物として、その二重用途パッケージを再構成するためのプロセスを対象とする。
【００１９】
一般的に参照番号（２０）によって本明細書に参照された二重用途パッケージは、様々な実施形態において図１−２１に図示される。二重用途パッケージ（２０）は、一般的に、外部構造物またはハウジング（２２）と、内部区画（２４）と、内部区画（２４）へアクセスするための開口部（２６）と、を含む。パッケージ（２０）はまた、プラグ（２８）または類似した構造、すなわちダイヤフラム、膜などを含んでもよく、それらは主要な開口部（２６）よりも典型的には小さい第２の開口部（２６ａ）を覆う。第２の開口部（２６ａ）は、主として、パッケージ２０が水槽に沈められるとき、内部区画（２４）の中に閉じ込められる可能性がある空気を放出する目的で構成される。いくつかの実施形態では、プラグ（２８）（複数可）は、記載されるような特定の設計特微のために、恒久的に取り除かれてもよい。二重用途パッケージ（２０）は、記載されるように、装飾されるか、またはそれ自体が装飾的な特徴を含んでもよい。
【００２０】
二重用途パッケージ（２０）が最初に製造されるとき、多量のペット関連製品（３０）を包含する。そのようなペット関連製品（３０）は、二重用途パッケージ（２０）が主として魚および他の水槽関連のペットにおける使用を対象とするとき、好ましくはえさを含む。ペット関連製品（３０）は、水で満たされているか、満たされていない水槽において飼われる魚または他のペットと共に一般に使用される、えさ、水処理薬剤、または他の製品を含んでもよい。二重用途パッケージ（２０）は、好ましくは、非毒性のプラスチックから作られ、そして水槽に安全な非毒性の塗料を用いて染められたプラスチックによって、または着色した収縮包装をパッケージ（２０）に適用することによって装飾される。パッケージ（２０）は、典型的な射出成形、ブロー成形、または回転成形プロセスから作られてもよい。その装飾物は、非毒性の接着剤を使用したステッカーによって提供されてもよい。その装飾物は、三次元の突出、または二次元のペイントもしくはステッカーであってもよい。
【００２１】
図１Ａおよび１Ｂは、本発明の二重用途パッケージ（２０）の第１の好ましい実施形態を例示する。この実施形態では、二重用途パッケージ（２０）は灯台（３２）に類似するように形成される。灯台（３２）の上部は、ＬＥＤまたは他のタイプの光のような光源（３４）を含み、実際の灯台において見られる光に類似するように構成される。内部区画（２４）は、そこが灯台（３２）の内部であるということを示すための破線を用いて例示される。内部区画（２４）は、灯台（３２）が水槽に沈められたときなどの浮力のある環境において直立したままであるように、灯台（３２）の底部に十分な重量を与えるベース部（３６）を含むように構成される。
【００２２】
灯台（３２）の上部に含まれたキャップ（３８）は、内部区画（２４）への開口部（２６）を覆う。キャップ（３８）の上部は、灯台（３２）上の最も高い部分の点であり、第２の開口部（２６ａ）を覆うプラグ手段（２８）を含む。キャップ（３８）は、取り外し可能であってもよく、または二重用途パッケージ（２０）にヒンジ式に取り付けられてもよい。
【００２３】
図２Ａおよび図２Ｂは、本発明の二重用途パッケージ（２０）の別の代替実施形態を図示する。この実施形態では、パッケージ（２０）は、枢動ヒンジ（４４）によって宝箱（４０）に接続される蓋（４２）を有し、かつ多量の宝を収容する宝箱（４０）に類似するように、構成される。宝箱（４０）は、宝の中のきらきら光る宝石に類似させるために１つ以上の光源を含んでもよい。内部区画（２４）は宝箱（４０）のベース部内に配置され、開口部（２６）は、好ましくは底部にある。プラグ（２８）および第二の開口部（２６Ａ）は蓋（４２）の下に位置する。取り付け部（４６）は、好ましくは、宝箱（４０）の後部に配置され、空気を蓋（４２）の内部空洞（５０）に放出するエアバブラーチューブ（４８）の取り付け点を提供する。蓋（４２）は、宝箱が沈んだときに、実質的に閉じる位置に置かれるように、十分に重み付けされている。バブラーチューブ（４８）からの空気が蓋（４２）内の空洞（５０）を満たすにつれて、蓋（４２）の浮力が変化する。十分な量の空気が空洞（５０）を満たすと、空気の浮力が蓋（４２）の重量に打ち勝ち、蓋が水中に持ち上がって閉じ込められた空気を放出する。閉じ込められた空気が放出されると、蓋（４２）は自重で落下し、蓋は再び宝箱（４０）のベース部に対して実質的に閉じられる。このプロセスは、空気がチューブ（４８）を通って泡立ち続ける限り繰り返される。
【００２４】
図３Ａおよび図３Ｂは、本発明の二重用途パッケージ（２０）の別の代替実施形態を図示する。この実施形態では、パッケージ（２０）は岩の像（５２）に類似している。岩の像（５２）は、好ましくは、水中または水槽内で見られる任意のタイプの岩に類似しており、彫刻を通るトンネルまたは通路（５４）を含むことができる。トンネルまたは通路（５４）は、魚または他の水槽の動物がそこを通過できるようにしてもよい。トンネルまたは通路（５４）は、魚がそこを泳ぐことができるように、他の実施形態のいずれかに含まれてもよい。通路（５４）は、城、家、または同様の建物などの別の彫刻に含まれてもよい。開口部（２６）は、好ましくは、水槽内に置かれたときに見えないように、岩の像（５２）の下側にある。プラグ（２８）および第２の開口部（２６Ａ）は、好ましくは、水槽内に置かれたときに最も高い位置にあるように、岩の像（５２）の頂上部に配置される。内部区画（２４）は点線で図示され、好ましくはトンネルまたは通路（５４）を囲む。
【００２５】
図４Ａおよび図４Ｂは、本発明の二重用途パッケージ（２０）の別の代替実施形態を示す。この代替的な実施形態では、パッケージ（２０）は、壁ブロック（５６）または同様の設計に類似している。壁ブロック（５６）の表面は、好ましくは、石の模様またはレンガ模様（５８）のような模様または装飾を有する。開口部（２６）は、好ましくは、壁ブロック（５６）が水槽内に置かれたときに見えないように、壁ブロック（５６）の底部に配置される。プラグ（２８）および第二の開口部（２６ａ）は、好ましくは、壁ブロック（５６）の上部表面に配置される。
【００２６】
壁ブロック（５６）の一方の側面は、もう一方の壁ブロック（５６）の表面に配置されたタング（６２）を受け入れるように構成されたスロットまたは溝（６０）を含んでもよい。このように、一方の壁ブロック（５６）のタング（６２）は、より長い壁構造を組み立てられるように、第２の壁ブロック（５６）のスロットまたは溝（６０）へと挿入されてもよい。壁ブロック（５６）は、スロット（６０）とタング（６２）の両方を有して販売されてもよい。代替的に、壁ブロック（５６）は、タング（６２）、および、スロットまたは溝（６０）のうちの１つだけを有するように販売されてもよい。このように、複数の壁ブロック（５６）から組み立てられた壁は、露出したタング（６２）またはスロットまたは溝（６０）が組み立てられた壁セグメントにおいて見えないように、構成されてもよい。複数の壁ブロック（５６）は、スタッドおよび穴、すなわちＬＥＧＯ（登録商標）型コネクタなどの他の構造によって連結されてもよい。スロットまたは溝（６０）ならびにタング（６２）は、岩壁の実施形態に限定されず、例えば、像を一緒に取り付けるために、任意の代替的な実施形態を含むように拡張され得る。
【００２７】
図５Ａおよび図５Ｂは、本発明の二重用途パッケージ（２０）のさらに別の実施形態を示す。この実施形態では、パッケージ（２０）は潜水艦（６４）に類似している。潜水艦は、好ましくは、その側面に沿って配置された複数のライト（６６）、すなわちＬＥＤまたは他のもの、および回転プロペラ（６８）を含む。開口部（２６）は、好ましくは、潜水艦（６４）の展望塔（７０）の上部に配置される。プラグ（２８）および第二の開口部（２６ａ）は、展望塔（７０）の上部の開口部（２６）を覆うように設計されたキャップ（３８）に含まれてもよい。取り付け部（７４）は、好ましくは、プロペラ（６８）に近接して配置される取り付け部（７４）に取り付けられたエアバブラーチューブ（７６）は、好ましくは、プロペラ（６８）へと気泡を導きプロペラ（６８）を回転させる。
【００２８】
図６Ａおよび図６Ｂは、本発明の二重用途パッケージ（２０）の別の代替的な実施形態を示す。この装飾的な実施形態は、上部から伸びる葉および茎を有する植物（８０）を有する花瓶（７８）を表すように構成される。開口部（２６）は、好ましくは、水槽内に置かれた時に見えないように、花瓶の底部に配置される。プラグ（２８）および第二の開口部（２６ａ）は、好ましくは、植物（８０）の葉の間の花瓶の上部にある。取り付け部（８２）は、好ましくは、エアーバブラーチューブ（８４）を受け止めるように花瓶（７８）上に配置される。取り付け部（８２）に導入された空気は、好ましくは、葉が水槽の水の中で揺れるように見せるために、植物（８０）の葉の間で放出される。
【００２９】
図７および図８は、本発明の二重用途パッケージ（２０）のさらに別の実施形態を示す。この実施形態では、パッケージ（２０）は、図７に示されるように、非常に簡単な設計であり、図８のタコ（４３）として示されている装飾的なエラストマーカバー（４９）の支持構造物になるように成形される。このエラストマーカバー（４９）は、魚製品（３０）がなくなって、装飾のために水槽（８８）で使用される時、パッケージ（２０）の少なくとも一部にわたり引き伸ばされることを意図されている。カバー（４９）は、様々な海洋生物、様々な動物、貝殻、岩石などを含むが、これらに限定されない様々な異なる形態を有することができる。
【００３０】
図９から図１１は、本発明の二重用途パッケージ（２０）およびキャップ（３８）の別の実施形態を示す。この実施形態では、パッケージ（２０）は、当該技術分野で既知の魚関連製品のための単純な円筒状の容器であり、水槽内に配置することを意図していない。再び、このパッケージ（２０）のキャップ（３８）は、魚関連製品（３０）がなくなった後に、水槽内に配置されることを意図した装飾要素である。キャップ（３８）は、中実であって、かつ、魚関連製品で満たされていない船（４５）などの、キャップに取り付けられた装飾品を有することができる。キャップ（３８）は、装飾を固定した状態に保つために、水槽（８８）の岩または砂で覆われうる砂利トレイまたはアンカー装置（９６）として作用する。装飾的なアタッチメントはまた、パッケージ（２０）自体に取り付けられてもよい。装飾的なアタッチメントはまた、装飾的なアタッチメントを、アンカー装置（９６）を有さずに水槽（８８）内に単独で置くことを可能にする、パッケージ（２０）またはキャップ（３８）から取り外し可能であってもよい。
【００３１】
図１２Ａおよび図１２Ｂは、本発明の二重用途パッケージ（２０）の別の実施形態を示す。この装飾的な実施形態はマヤの彫像（３９）を表わすように構成される。この実施形態の第二の開口部（２６ａ）は、特定の設計特徴を開けるために設計され、配置される。例えば、この実施形態では、第二の開口部（２６ａ）は、マヤの彫像の目および口になるように設計されている。プラグ（２８）の周りのプラスチックに穿孔があり、設計特徴を開けるためにプラグを打ち抜くことができる。設計特徴として打ち抜かれたキャップを備える第二の開口部（２６ａ）の使用は、マヤの彫像に限定されず、パッケージ（２０）の他の装飾的な実施形態においても使用されてもよいことを、再度留意されるべきである。
【００３２】
図１３は、本発明の別の実施形態を示す。この実施形態では、二重用途パッケージ（２０）は、当該技術分野において既知であり、水槽（８８）内に配置されることを意図しない、魚関連製品（３０）のための単純な円筒形パッケージ（２０）である。しかしながら、パッケージ（２０）のキャップ（３８）は、魚関連製品（３０）がなくなった後に、水槽（８８）内に配置されることを意図した装飾要素である。このパッケージ（２０）のキャップ（３８）は、水中に沈むように、中実な重いプラスチックからなるか、またはバラスト（８６）で充填されている。この構造では、蓋（３８）は、古代の硬貨（４１）に類似するように成形されてもよい。
【００３３】
各実施形態では、重みづけされたバラスト材料（８６）は、好ましくは、二重用途パッケージ（２０）が水槽の水の中に沈められる前に、内部区画（２４）に追加されることが好ましい。バラスト（８６）はまた、内部区画（２４）に別々に追加するのではなく、むしろ、パッケージ（２０）に外部的に、蓋（４２）、キャップ（３８）、閉鎖手段、または装飾要素に、追加することができる。プラグ（２８）は好ましくは第二の開口部（２６ａ）から取り外され、パッケージは、内部区画（２４）に閉じ込められた任意の余分な空気を逃がすことができるように、水没しながらも逆さまにされるか、または向きを変えられる。パッケージ（２０）を水槽に追加するとき、ユーザーは、好ましくは、内部区画（２４）から任意の余分な空気を放出するように、パッケージ（２０）を最初に方向付ける。これは、キャップまたは他のカバーを開口部（２６）から取り外し、開口部が上方にあって、内部区画（２４）内の任意の空気が水槽からの水で置換されるようにパッケージ（２０）を方向づけすることによって、達成され得る。これが達成されると、キャップは、必要に応じて水槽に配置される開口部（２６）およびパッケージ（２０）上において交換されてもよい。
【００３４】
それはまた、内部区画（２４）内に閉じ込められた任意の余分な空気を逃がすことができるように使用される第２の開口部（２６ａ）に加えて、特定の実施形態において、前述のように、図１２に示されるような装飾的な特徴として使用することができる。例えば、十分に設計された第二の開口部（２６ａ）によって、彫像の目または口のような特定の設計特徴を開けることを可能にする。この機能によって、装飾品はより奥行きと写実性を持つようになるだろう。同様に、第二の開口部（２６ａ）が十分に大きい場合には、魚または他の水槽の動物が装飾品に出入りすることができるようになるだろう。この装飾の目的を意図する第二の開口部（２６ａ）のためのプラグ（２８）は、その周囲のプラスチックに穿孔を有するだろう二重用途パッケージ（２０）の一部であり、パッケージ（２０）が空であって水槽に配置される準備ができている時に、プラグ（２８）を抜き出すことができる。
【００３５】
図１４から図１６は、二重用途パッケージ（２０）を水槽（８８）の底に固定するために使用される拡張されたベース部などのアンカー装置（９６）を示す。アンカー装置（９６）は、パッケージ（２０）の下側に取り付けられ、次いで、岩（９２）の重量またはトレイ（９９）の上の他の固定機構によって、水槽（８８）の底に固定される。アンカー装置（９６）を固定するために、単にパッケージ（２０）を前後に操作するだけで、砂利または岩（９２）がアンカー装置（９６）上のトレイ（９９）の上を囲み載置されることが可能になる。砂利または岩（９２）の重量は、アンカー装置（９６）を水槽（８８）の底部に保持し、同様にパッケージ（２０）が水（９０）内に浮遊することを防止する。アンカー装置（９６）の正確な形状、構成および設計は、特定のパッケージ（２０）を確実に固定するように変更してもよい。代替的に、アンカー装置（９６）は、水槽（８８）の底部ガラスに自身を取り付ける吸盤（９８）（図１６）を含んでもよい。さらに、アンカー装置（９６）は、パッケージ（２０）の下側に取り付けられることに限定されず、側面（図１４）、蓋、またはキャップ（３８）など、パッケージ（２０）の任意の部分に取り付けられてもよい。この特徴は、図１７、図２０、および図２１に見られるように、パッケージ（２０）を水槽の底部または側面に固定することを可能にするだろう。
【００３６】
図１７は、パッケージ（２０）が、水槽（８８）の上部と下部との間で水槽（８８）の水（９０）内に浮くように構成される別の代替的な実施形態を示す。この実施形態では、パッケージ（２０）は、様々な装飾的な構成のいずれかにおいて、パッケージ（２０）に浮力を提供するため内部区画（２４）内に空気を閉じ込めるように構成される。アンカー装置（９６）などの構造物には、記載されるように、吸盤（９８）またはトレイ（９９）が設けられ、水槽（８８）の底部ガラスに固定されている。図１７は、明確化のために、アンカー装置（９６）から取り除かれた砂利（９２）を示す。実際の使用においては、砂利（９２）は、好ましくはアンカー装置（９６）を覆うように動かされる。細いワイヤまたはひも（１００）は、パッケージ（２０）をアンカー装置（９６）に連結する。
【００３７】
水中に沈められたとき、二重用途パッケージ（２０）の浮力は、水（９０）の表面に向かって浮くように生じる。ひも（１００）は、パッケージ（２０）が水（９０）の表面まで完全に浮遊することを防止する。水中にある時、ひも（１００）は、釣り糸、ケーブル、糸、ワイヤ、または、薄いかまたは厚みが小さい同様の材料のように、実質的に目に見えないものでなければならない。ひも（１００）は、パッケージ（２０）が周囲を浮きかつ動くふりができるように、ぴんと張られていても柔軟であってもよい。この実施形態では、パッケージ（２０）はバラストまたは他の重み付けされた材料を必要としない。実際、パッケージ（２０）は、浮力を最大にするためにできるだけ軽くなければならない。空気の放出のために設けられる任意のプラグ（２８）または同様の構造物は、所定の位置に置いておくことができる。パッケージ（２０）は、熱気球、魚、サメ、飛行機、飛行船、宇宙船などのような、他の形状または装飾的な構成であってもよい。
【００３８】
前述の実施形態のいずれにおいても、二重用途パッケージ（２０）の表面は、二次元表面上に三次元画像または動画を生成する、鏡材料、レンチキュラー材料、またはホログラフィック材料で装飾されてもよい。そのような材料は、所望の視覚表現を生成するために、容器の外表面に接着されてもよい。特に、二次元物体上で奥行きの認知について錯覚させるように構成されたアップリケを、容器の外表面に適用してもよい。湾曲した表面上では、アップリケは、角を曲がるように巻き付けられるか、または、ひだを付けられ（ｃｒｉｍｐｅｄ）てもよい。このようなアップリケは、静的な３次元画像を提供してもよく、または視角が変化するにつれ動くような錯覚を与えてもよい。
【００３９】
二重用途パッケージ（２０）の表面は、任意の実施形態において、成形または適用された様々な質感を有することもあってもよい。岩壁、トンネル状の岩、灯台などは、実際の岩や灯台の壁に類似するよう、それらにざらざらした質感を適用してもよい。植物の葉は、植物の葉に類似させるために適用される材料の質感を有してもよい。宝箱には、宝箱を作るために使用された木の木目に類似するように成形された線を有していてもよい。鏡のような表面も、鏡や任意の他の輝きかつ反射する面に類似する、装飾的な特徴として適用されてもよい。異なる実施形態へと適用または成形された質感は、記載された実施形態に限定されるべきではなく、任意の実施形態のためにパッケージ（２０）をより写実的に見せるようにする質感を含むべきである。
【００４０】
図１８および図１９は、本発明のアンカー装置（９６）の代替的な実施形態を示す。この実施形態では、アンカー装置は、ねじ式キャップ（１０２）を備える。ねじ式キャップ（１０２）は、取り外し可能に取り付けられたアンカー装置（９６）を有していてもよく、これは、図１８に示されるようにトレイ（９９）を含んでもよく、または、図１９に示すように、吸盤（９８）を含んでもよい。ねじ式キャップ（１０２）は、内部区画（２４）への開口部（２６）上のねじ式ネック（１０４）に取り外し可能に取り付けられるように構成される。この実施形態に関して、前述のパッケージ（２０）のいずれも、開口部（２６）がパッケージ（２０）のベース部または下側にあるように構成することができる。このように、パッケージ（２０）は、内部区画（２４）の内容物を分配するために使用され、アンカー装置（９６）上に直立して備えられてもよい。内部区画（２４）の内容物が完全に分配されると、パッケージ（２０）は、どのような構成であっても、記載のように、水槽（８８）の底部ガラスに固定されたアンカー装置（９６）で水槽に直立して置かれてもよい。
【００４１】
図２０および図２１は、本発明の二重用途パッケージ（２０）の各実施形態の１つのサンプルを含む水槽（８８）の環境図を示す。水槽（８８）は水（９０）と岩（９２）を含む。
【００４２】
様々な実施形態が例示のために詳細に記載されてきたが、本発明の範囲および精神から逸脱することなく、様々な変更がなされてもよい。したがって、本発明は、添付の特許請求の範囲を除いて限定されるものではない。
【図１Ａ】
0006456527.tif 000002
【図１Ｂ】
0006456527.tif 000003
【図２Ａ】
0006456527.tif 000004
【図２Ｂ】
0006456527.tif 000005
【図３Ａ】
0006456527.tif 000006
【図３Ｂ】
0006456527.tif 000007
【図４Ａ】
0006456527.tif 000008
【図４Ｂ】
0006456527.tif 000009
【図５Ａ】
0006456527.tif 000010
【図５Ｂ】
0006456527.tif 000011
【図６Ａ】
0006456527.tif 000012
【図６Ｂ】
0006456527.tif 000013
【図７】
0006456527.tif 000014
【図８】
0006456527.tif 000015
【図９】
0006456527.tif 000016
【図１０】
0006456527.tif 000017
【図１１】
0006456527.tif 000018
【図１２Ａ】
0006456527.tif 000019
【図１２Ｂ】
0006456527.tif 000020
【図１３】
0006456527.tif 000021
【図１４】
0006456527.tif 000022
【図１５】
0006456527.tif 000023
【図１６】
0006456527.tif 000024
【図１７】
0006456527.tif 000025
【図１８】
0006456527.tif 000026
【図１９】
0006456527.tif 000027
【図２０】
0006456527.tif 000028
【図２１】
0006456527.tif 000029